(57)【特許請求の範囲】
【請求項１】
包装体の注出口に形成された雄ネジに螺合する雌ネジを有したネジキャップと、ネジキャップを開栓操作する際にネジキャップから切り離されるピルファプルーフバンドと、ピルファプルーフバンドを露出させるようにネジキャップに係合手段を介し被せられるオーバーキャップとを具備し、上記係合手段が、ネジキャップとオーバーキャップとを周方向及び軸方向において夫々係合させる周方向係合手段と軸方向係合手段とを含んでおり、上記周方向係合手段が、ネジキャップの周壁の外周面に形成された雄ローレット溝とオーバーキャップの周壁の内周面に形成された雌ローレット溝とで構成され、上記軸方向係合手段が、オーバーキャップの下端からネジキャップとピルファプルーフバンドとの隙間に突出する突起により構成されていることを特徴とするピルファプルーフキャップ。
【請求項２】
突起がオーバーキャップの周方向に間欠的に形成されたことを特徴とする請求項１に記載のピルファプルーフキャップ。
【請求項３】
オーバーキャップの周壁における上記突起の真上に穴が形成されたことを特徴とする請求項１又は請求項２に記載のピルファプルーフキャップ。
【請求項４】
包装体の本体が袋体であることを特徴とする請求項１乃至請求項３のいずれかに記載のピルファプルーフキャップ。
【発明の詳細な説明】
【０００１】
【発明の属する技術分野】
本発明は、包装体の注出口に装着されるピルファプルーフ（pilfer-proof）キャップに関する。
【０００２】
【従来の技術】
従来、飲食品等の包装体の注出口には、注出口がすでに開封されたか否かを消費者等が容易に確認することができるようにするため、ピルファプルーフキャップが装着される場合がある。
【０００３】
このピルファプルーフキャップの構造については、特開平１１−１８９２５４号公報、特開平１１−１８９２５５号公報、特開平１１−１８９２５６号公報等によりすでに開示される。
【０００４】
【発明が解決しようとする課題】
飲食品等の包装体には、消費者等がその注出口を口で咥えて中味を吸い出したり口中に流し込んだりすることができるようにしたものがあるが、そのような注出口は口で咥えやすくしたり、中味の流出を適量にしたり、包装体を搬送する際に嵩張らないようにしたりするため、比較的細く形成される。ところが、注出口が細く形成されると同時に注出口を覆うピルファプルーフキャップも比較的小径に形成されるため、嵩張らないようになる反面、開封操作が面倒になる。ことに指の力の弱い幼児にとっては開封が困難になる場合も生ずる。
【０００５】
従って、本発明は、飲食品等の包装体を簡易に開封することができるピルファプルーフキャップを提供することを目的とする。
【０００６】
【課題を解決するための手段】
上記課題を解決するため、請求項１に係る発明は、包装体（１）の注出口（２）に形成された雄ネジ（８）に螺合する雌ネジ（１２）を有したネジキャップ（１４）と、ネジキャップ（１４）を開栓操作する際にネジキャップ（１４）から切り離されるピルファプルーフバンド（９）と、ピルファプルーフバンド（９）を露出させるようにネジキャップ（１４）に係合手段を介し被せられるオーバーキャップ（１５）とを具備し、上記係合手段が、ネジキャップ（１４）とオーバーキャップ（１５）とを周方向及び軸方向において夫々係合させる周方向係合手段（２１，２２）と軸方向係合手段（２３）とを含んでおり、上記周方向係合手段が、ネジキャップ（１４）の周壁の外周面に形成された雄ローレット溝（２１）とオーバーキャップ（１５）の周壁の内周面に形成された雌ローレット溝（２２）とで構成され、上記軸方向係合手段が、オーバーキャップ（１５）の下端からネジキャップ（１４）とピルファプルーフバンド（９）との隙間に突出する突起（２３）により構成されているピルファプルーフキャップ（３）を採用する。
【０００７】
この請求項１に係る発明によれば、ネジキャップ（１４）の周りにオーバーキャップ（１５）が係合するので、実質的にネジキャップ（１４）が大径化する。従って、ピルファプルーフキャップ（３）の開栓を簡易かつ迅速に行うことができる。また、オーバーキャップ（１５）はピルファプルーフバンド（９）を露出させるようにネジキャップ（１４）を覆うので、消費者等は包装体（１）の注出口（２）が開栓されたか否かを確認することができる。
【０００８】
【０００９】
また、請求項１に係る発明によれば、係合手段が周方向係合手段（２１，２２）と軸方向係合手段（２３）とに分かたれるので、ネジキャップ（１４）とオーバーキャップ（１５）との係合力が周方向と軸方向において夫々増大し、従って開栓操作が容易になり、またネジキャップ（１４）からオーバーキャップ（１５）が脱落し難くなる。
【００１０】
【００１１】
また、請求項１に係る発明によれば、突起（２３）がオーバーキャップ（１５）の下端からネジキャップ（１４）とピルファプルーフバンド（９）との隙間に突出するので、オーバーキャップ（１５）はネジキャップ（１４）に対し軸方向に拘束され、ネジキャップ（１４）上に抜け出ないよう保持される。また、突起（２３）はネジキャップ（１４）とピルファプルーフバンド（９）との隙間を一定に保持するためのスペーサとしても機能する。
【００１２】
また、請求項２に係る発明は、突起（２３）がオーバーキャップ（１５）の周方向に間欠的に形成された請求項１に記載のピルファプルーフキャップ（３）を採用する。
【００１３】
この請求項２に係る発明によれば、突起（２３）がオーバーキャップ（１５）の周方向に間欠的に存在するので、ネジキャップ（１４）とピルファプルーフバンド（９）との隙間にスペーサ（１７）等が介在してもいずれかの突起（２３）がスペーサ（１７）等との衝突を避けてネジキャップ（１４）と係合する。従って、オーバーキャップ（１５）はネジキャップ（１４）に対し軸方向に確実に拘束され、ネジキャップ（１４）上に抜け出ないよう保持される。
【００１４】
また、請求項３に係る発明は、オーバーキャップ（１５）の周壁における上記突起（２３）の真上に穴（２４）が形成された請求項１又は請求項２に記載のピルファプルーフキャップ（３）を採用する。
【００１５】
この請求項３に係る発明によれば、オーバーキャップ（１５）の周壁における突起（２３）の真上の穴（２４）を成形型の抜き型に対応させることで突起（２３）を鋭利な返しとして適正に形成することができる。従って、突起（２３）とネジキャップ（１４）の下端との係合力を高め、オーバーキャップ（１５）をネジキャップ（１４）により確実に保持することができる。
【００１６】
また、請求項４に係る発明は、包装体が袋体（１）である請求項１乃至請求項３のいずれかに記載のピルファプルーフキャップ（３）を採用する。
【００１７】
この請求項４に係る発明によれば、包装体の本体が袋体（１）であり、袋体（１）のピルファプルーフが維持される。袋体（１）の注出口（２）を開封した後は袋体（１）を押える等することにより、中味を注出口（２）から注出することができる。
【００１８】
【発明の実施の形態】
次に、本発明の実施の形態について図面を参照して説明する。
【００１９】
＜実施の形態１＞
図１に示すように、包装体は、袋体１と、注出口２と、ピルファプルーフキャップ３とを具備する。
【００２０】
袋体１は、包装シートを重ね合わせてその四方をシールすることでピロー型に形成される。包装シートとしては例えば特開２０００−３３９５８が開示するような公知の層構成を有した包装材料が用いられる。袋体１の形態としてはこの実施の形態ではピロー型が採用されるが、自立性袋型、ガゼット型等の他の形態としてもよい。袋体１内には、例えば液状、ゼリー状等の飲食物が充填される。
【００２１】
注出口２は、図２乃至図６に例示されるように、フランジ４を境として袋体１の内側へ伸びる内側筒部２ａと、袋体１の外側へ伸びる外側筒部２ｂとを有する。
【００２２】
内側筒部２ａはその側面から翼片５が突出し、翼片５と共に袋体１の包装シートにより挟まれ、ヒートシール等により包装シートに密着する。内側筒部２ａの下端からは溝部材２ｃが袋体１の底の方へ突出する。溝部材２ｃは袋体１が扁平に密着するのを防止し、内容物を注出口２内へと円滑に導く。溝部材２ｃは内容物、袋の形状等により省略される場合もある。
【００２３】
外側筒部２ｂの外面には、その中段から先端に向かって、鍔片６、雄ラチェット７、雄ネジ８が順に形成される。鍔片６は後述するピルファプルーフキャップ３から切り離されるピルファプルーフバンド９を受け止める作用を果たすものである。雄ラチェット７は、後述するピルファプルーフバンド９の内面に形成された雌ラチェット１０と円周方向において係合するもので、外側筒部２ｂの外面の円周方向に所定間隔をおいて複数個設けられている。この雄ラチェット７は、後述するピルファプルーフバンド９の円周面に形成された突部１１とも軸方向において係合するようになっている。雄ネジ８は、後述するピルファプルーフキャップの雌ネジ１２と螺合するためのものである。これら雌雄ネジ１２，８の螺合によりピルファプルーフキャップ３が注出口２の開口を封じる。
【００２４】
また、注出口２の外側筒部２ｂの外面における鍔部６と雄ラチェット７との間には、注出口２の軸方向に平行に伸びる複数個の突起１３が必要に応じて設けられる。この突起１３はピルファプルーフキャップ３から分離したピルファプルーフバンド９をガタつくことなく注出口２の外側筒部２ｂの外面に保持するためのものである。
【００２５】
ピルファプルーフキャップ３は、図７に示すように、ネジキャップ１４と、ピルファプルーフバンド９と、オーバーキャップ１５とを具備する。
【００２６】
ネジキャップ１４は、図８乃至図１１に示すように、袋体１の注出口２に形成された雄ネジ８に螺合する雌ネジ１２を円筒状の周壁の内周面に有する。ピルファプルーフバンド９は、ネジキャップ１４を開栓操作する際にネジキャップ１４から切り離されるように、このネジキャップ１４の周壁の下端に薄肉部１６を介して連結される。薄肉部１６は、細い柱状片として形成され、ネジキャップ１４とピルファプルーフバンド９との隙間内において円周方向に所定間隔をおいて複数個設けられている。また、薄肉部１６は、ネジキャップ１４からピルファプルーフバンド９が切り離された時にネジキャップ１４側に残留するようにピルファプルーフバンド９に向って先細状に形成される。ネジキャップ１４の下端には薄肉部１６同士の中間にピルファプルーフバンド９の方へ突出するスペーサ１７が設けられる。このスペーサ１７によってネジキャップ１４とピルファプルーフバンド９との間隙が規制される。スペーサ１７はピルファプルーフバンド９側に設けてもよいし、ネジキャップ１４とピルファプルーフバンド９の双方に設けてもよい。
【００２７】
ピルファプルーフバンド９の内周面の下端には、内側へ突出する突部１１が環状に設けられている。注出口２を開封した後、ネジキャップ１４を繰り返して開け閉めする場合に、この突部１１が注出口２の雄ラチェット７に係合することによりピルファプルーフバンド９の注出口２からの落下が防止される。
【００２８】
また、ピルファプルーフバンド９の内周面の上端には、円周方向に所定間隙をおいて複数個の雌ラチェット１０が注出口２側の雄ラチェット７に対応するように設けられている。雌雄のラチェット１０，７はネジキャップ１４を開ける方向に回す際に係合するようになっており、そのためネジキャップ１４を開ける方向に回すとピルファプルーフバンド９は薄肉部１６の箇所でネジキャップ１４から切り離され、注出口２上に残留する。
【００２９】
また、ピルファプルーフバンド９の上端には、複数個の下ラチェット１８が設けられ、ネジキャップ１４の下端には下ラチェット１８に対応するように上ラチェット１９が設けられる。上下ラチェット１９，１８はネジキャップ１４を内容物の充填後に注出口２にねじ込む時に互いに係合するようになっており、この上下ラチェット１９，１８の係合によって、ネジキャップ１４を注出口２にねじ込む際の薄肉部１６の破断が防止される。
【００３０】
オーバーキャップ１５は、図７に示すように、ピルファプルーフバンド９を露出させるようにネジキャップ１４に係合手段を介し被せられる。オーバーキャップ１５はネジキャップ１４より外径が大きく、そのためピルファプルーフキャップ３を最初に開封する際の開封操作を簡易に行うことができる。また、図１２乃至図１４に示すように、オーバーキャップ１５の天壁には楕円形の取っ手２０が必要に応じて形成される。この取っ手２０を把持することでピルファプルーフキャップ３の開栓操作はさらに簡易化される。取っ手２０の天面はオーバーキャップ１５の天壁に連なる平坦面にすることにより、袋体１を倒立させることができる。取っ手２０はオーバーキャップ１５の外径よりも大きく形成することで、幼児の誤飲防止手段としても機能させることができる。取っ手２０はオーバーキャップ１５の天壁や側壁から水平方向に突出するが、垂直方向に突出させることもできる。取っ手２０の形状も楕円に限らず、円形、四角形、多角形、立体形等種々の形状とすることができる。取っ手２０には種々の内容を表示することによりディスプレイ効果を高めることも可能である。
【００３１】
係合手段は、ネジキャップ１４とオーバーキャップ１５とを周方向及び軸方向において夫々係合させる周方向係合手段と軸方向係合手段とを含んでいる。
【００３２】
周方向係合手段は、具体的にはネジキャップ１４の周壁の外周面に形成された雄ローレット溝２１とオーバーキャップ１５の周壁の内周面に形成された雄ローレット溝２１と噛み合う雌ローレット溝２２とで構成される。雌雄のローレット溝２２，２１の係合によりネジキャップ１４とオーバーキャップ１５は一体で回転可能となる。周方向係合手段は雌雄のローレット溝２２，２１に限らず、一対又は複数対の突起や、突起と凹溝等で構成することも可能である。
【００３３】
軸方向係合手段は、具体的にはオーバーキャップ１５の下端からネジキャップ１４とピルファプルーフバンド９との隙間に突出する突起２３により構成される。この突起２３は望ましくはオーバーキャップ１５の周方向の全周に設けられているが、間欠的に形成することも可能である。この突起２３がネジキャップ１４の下端と係合することによりオーバーキャップ１５がネジキャップ１４から軸方向に抜け出るのを阻止する。
【００３４】
次に、上記構成のピルファプルーフキャップ３の作用について説明する。
【００３５】
まず、ネジキャップ１４にオーバーキャップ１５を被せてピルファプルーフキャップ３を組み立てる。オーバーキャップ１５をネジキャップ１４に被せることで、オーバーキャップ１５の下端の突起２３がネジキャップ１４とピルファプルーフバンド９との隙間に突出しオーバーキャップ１５とネジキャップ１４とが軸方向で係合する。また、同時に雌雄のローレット溝２２，２１が係合する。これにより、ネジキャップ１４とオーバーキャップ１５は一体で回転可能となる。このオーバーキャップ１５は袋体１に内容物を充填しネジキャップ１４を装着した後でネジキャップ１４に被せるようにしてもよい。
【００３６】
また、注出口２から袋体１内に飲食物等の内容物を充填し、その後注出口２をピルファプルーフキャップ３で閉じる。すなわち、ピルファプルーフキャップ３を注出口２上で例えば右方向に回し、ネジキャップ１４の雌ネジ１２を注出口２の雄ネジ８と螺合させる。ネジキャップ１４の雌ネジ１２が注出口２の雄ネジ８に対して螺進し、ピルファプルーフバンド９が注出口２の鍔部６側へ接近すると、注出口２の雄ラチェット７上をピルファプルーフバンド９の突起１１が乗り越え、ネジキャップ１４が注出口２に対して装着され、ピルファプルーフキャップ３の装着が完了する。
【００３７】
この装着の際、ネジキャップ１４側の上ラチェット１９とピルファプルーフバンド９側の下ラチェット１８が係合し、ネジキャップ１４にピルファプルーフバンド９を連結する薄肉部１６の破断を防止する。
【００３８】
これにより、包装体が完成し、密封された状態で搬送され、冷却され、販売に供される。
【００３９】
注出口２を開封する際は、まず消費者等の使用者がオーバーキャップ１５を把持して、ピルファプルーフキャップ３の全体をねじ込み方向と逆の例えば左方向に回転させる。ピルファプルーフキャップ３の回転に伴い、注出口２の雄ラチェット７とピルファプルーフバンド９の雌ラチェット１０とが円周方向において係合し、ピルファプルーフバンド９を注出口２側に拘束する。このため、オーバーキャップ１５及びネジキャップ１４が注出口２上を緩む方向に回転し、ネジキャップ１４とピルファプルーフバンド９との間の薄肉部１６が破断し、ネジキャップ１４からピルファプルーフバンド９が切り離される。
【００４０】
この場合、薄肉部１６はネジキャップ１４からピルファプルーフバンド９に向って先細状となっているので、薄肉部１６はピルファプルーフバンド９の表面において破断する。このため、薄肉部１６の破断片はネジキャップ１４側に残り、ピルファプルーフバンド９が残留した注出口２に口を当てる消費者等に違和感を与えない。
【００４１】
更にオーバーキャップ１５及びネジキャップ１４を注出口２に対して緩める方向に回転させることによって、注出口２側の雄ネジ８と、ネジキャップ１４側の雌ネジ１２との係合が解除し、オーバーキャップ１５及びネジキャップ１４が注出口２から取り外される。
【００４２】
一方、ネジキャップ１４から分離したピルファプルーフバンド９は、その突起１１が注出口２の雄ラチェット７に当接することから、注出口２上に拘束される。
【００４３】
消費者等の使用者は開封された注出口２に口をあてて内容物を飲食する。例えば、内容物が液体、流動体等を凍らせたものである場合は、袋体１を手で揉み解しながら内容物を砕き氷解させつつ注出口２から吸い出すことができる。内容物を吸い出す際、ピルファプルーフバンド９の突部１１が注出口２の雄ラチェット７に係合するので、袋体１を逆さまにしてもピルファプルーフバンド９が注出口２の先端から使用者の口内へ落下してしまうようなことはない。
【００４４】
その後、使用者は袋体１の注出口２に対してオーバーキャップ１５及びネジキャップ１４を再度装着することにより、袋体１を再び密封することができる。この場合、ネジキャップ１４からピルファプルーフバンド９が分離した状態となっているので、この袋体１がすでに開封されたことを容易に認識することができる。
【００４５】
＜実施の形態２＞
図１５乃至図１８に示すように、このピルファプルーフキャップ３は実施の形態１のピルファプルーフキャップ３と相違し、オーバーキャップ１５の下端に形成される突起２３がオーバーキャップ１５の周方向に間欠的に複数個形成されている。このため、図１６に示すように、一部の突起２３がスペーサ１７や上下のラチェット１９，１８に重なってネジキャップ１４とピルファプルーフバンド９との隙間に入り込まない場合であっても、他の突起２３が隙間の他の箇所に入り込むことができる。従って、図１７又は図１８に示すように、オーバーキャップ１５がネジキャップ１４に対し種々の位置で嵌め込まれたとしても、オーバーキャップ１５はネジキャップ１４に対し軸方向に適正に拘束され、ネジキャップ１４上に抜け出ないよう保持される。
【００４６】
また、このピルファプルーフキャップ３では、オーバーキャップ１５の周壁における突起２３の真上に穴２４が形成されている。この穴２４はオーバーキャップ１５を成形するための図示しない成形型が有する抜き型に対応する。抜き型はオーバーキャップ１５の成形時にこの穴２４の位置に侵入しており、溶融樹脂の射出後に成形型から引き抜かれる。そして、成形型が型開きされ、射出成形されたオーバーキャップ１５が成形型から取り出される。このように穴２４内に抜き型が入り込んだ状態で突起２３が形成されるので、突起２３は尖った先端を有することになり、ネジキャップ１４の下端に食い込む返しとして適正な形に形成される。従って、突起２３とネジキャップ１４の下端との係合力が高まり、オーバーキャップ１５はネジキャップ１４に強固に保持される。
【００４７】
＜実施の形態３＞
図１９乃至図２１に示すように、このピルファプルーフキャップ３は実施の形態１のピルファプルーフキャップ３と相違し、オーバーキャップ１５における楕円形の取っ手２０の外周からスカート部２５が垂下し、スカート部２５とオーバーキャップ１５の周壁１５ａとの間に空洞が形成されている。取っ手２０にスカート部２５が設けられていることから、消費者等の使用者は取っ手２０を把持しやすくなり、ピルファプルーフキャップ３を簡易に開けることができる。
【００４８】
＜実施の形態４＞
図２２乃至図２５に示すように、このピルファプルーフキャップ３は実施の形態１のピルファプルーフキャップ３と相違し、オーバーキャップ１５の突起２３が羽状の折り返し片２３ａで形成される。折り返し片２３ａはオーバーキャップ１５の下端に薄肉のヒンジ２６を介して連結され、ヒンジ２６の箇所でオーバーキャップ１５の内面に折り込まれることで突起２３とされる。折り返し片２３ａ及びヒンジ２６はオーバーキャップ１５を射出成形すると時にオーバーキャップ１５と一体に成形される。折り返し片２３ａがオーバーキャップ１５内に折り返された状態でネジキャップ１４をオーバーキャップ１５内に挿入すると、折り返し片２３ａの尖った縁がネジキャップ１４の下端と係合し、オーバーキャップ１５とネジキャップ１４との分離を防止する。
【００４９】
【発明の効果】
請求項１に係る発明によれば、ネジキャップの周りにオーバーキャップが係合するので、実質的にネジキャップが大径化する。従って、ピルファプルーフキャップの開栓を簡易かつ迅速に行うことができる。また、オーバーキャップはピルファプルーフバンドを露出させるようにネジキャップを覆うので、消費者等は包装体の注出口が開栓されたか否かを確認することができる。
【００５０】
また、請求項１に係る発明によれば、係合手段が、ネジキャップとオーバーキャップとを周方向及び軸方向において夫々係合させる周方向係合手段と軸方向係合手段とを含んだ請求項１に記載のピルファプルーフキャップであり、係合手段が周方向係合手段と軸方向係合手段とに分かたれるので、ネジキャップとオーバーキャップとの係合力が周方向と軸方向において夫々増大し、従って開栓操作が容易になり、またネジキャップからオーバーキャップが脱落し難くなる。
【００５１】
また、請求項１に係る発明によれば、突起がオーバーキャップの下端からネジキャップとピルファプルーフバンドとの隙間に突出するので、オーバーキャップはネジキャップに対し軸方向に拘束され、ネジキャップ上に抜け出ないよう保持される。また、突起はネジキャップとピルファプルーフバンドとの隙間を一定に保持するためのスペーサとしても機能する。
【００５２】
請求項２に係る発明によれば、突起がオーバーキャップの周方向に間欠的に形成された請求項２に記載のピルファプルーフキャップであり、突起がオーバーキャップの周方向に間欠的に存在するので、ネジキャップとピルファプルーフバンドとの隙間にスペーサ等が介在してもいずれかの突起がスペーサ等との衝突を避けてネジキャップと係合する。従って、オーバーキャップはネジキャップに対し軸方向に確実に拘束され、ネジキャップ上に抜け出ないよう保持される。
【００５３】
請求項３に係る発明によれば、オーバーキャップの周壁における上記突起の真上に穴が形成された請求項１又は請求項２に記載のピルファプルーフキャップであるから、オーバーキャップの周壁における突起の真上の穴を成形型の抜き型に対応させることで突起を返しとして適正に形成することができる。従って、突起とネジキャップの下端との係合力を高め、オーバーキャップをネジキャップにより確実に保持することができる。
【００５４】
請求項４に係る発明によれば、包装体が袋である請求項１乃至請求項４のいずれかに記載のピルファプルーフキャップであるから、袋体のピルファプルーフが維持される。袋体の注出口を開封した後は袋を押える等することにより、中味を注出口から注出することができる。
【図面の簡単な説明】
【図１】  本発明に係るピルファプルーフキャップが装着された包装体の正面図である。
【図２】  注出口の正面図である。
【図３】  注出口の右側面図である。
【図４】  注出口の平面図である。
【図５】  注出口の底面図である。
【図６】  図２中、ＶＩ−ＶＩ線矢視断面図である。
【図７】  ピルファプルーフキャップの垂直断面図である。
【図８】  ネジキャップの正面図である。
【図９】  ネジキャップの垂直断面図である。
【図１０】  ネジキャップの平面図である。
【図１１】  ネジキャップの底面図である。
【図１２】  オーバーキャップの半断面図である。
【図１３】  オーバーキャップの平面図である。
【図１４】  オーバーキャップの底面図である。
【図１５】  本発明の実施の形態２に係るピルファプルーフキャップの部分切欠正面図である。
【図１６】  図１５中、ＸＶＩ−ＸＶＩ線矢視断面図である。
【図１７】  オーバーキャップとネジキャップを位相を変えて結合させた状態を図１６と同様に表した図である。
【図１８】  オーバーキャップとネジキャップを更に位相を変えて結合させた状態を図１６と同様に表した図である。
【図１９】  本発明の実施の形態３に係るピルファプルーフキャップの垂直断面図である。
【図２０】  オーバーキャップの垂直断面図である。
【図２１】  オーバーキャップの底面図である。
【図２２】  本発明の実施の形態４に係るピルファプルーフキャップの垂直断面図である。
【図２３】  オーバーキャップの半断面図である。
【図２４】  オーバーキャップの平面図である。
【図２５】  オーバーキャップの底面図である。
【符号の説明】
１…袋体
２…注出口
３…ピルファプルーフキャップ
８…雄ネジ
９…ピルファプルーフバンド
１２…雌ネジ
１４…ネジキャップ
１５…オーバーキャップ
２１…雄ローレット溝
２２…雌ローレット溝
２３…突起
２４…穴
【図１】
0004867107.tif 000002
【図２】
0004867107.tif 000003
【図３】
0004867107.tif 000004
【図４】
0004867107.tif 000005
【図５】
0004867107.tif 000006
【図６】
0004867107.tif 000007
【図７】
0004867107.tif 000008
【図８】
0004867107.tif 000009
【図９】
0004867107.tif 000010
【図１０】
0004867107.tif 000011
【図１１】
0004867107.tif 000012
【図１２】
0004867107.tif 000013
【図１３】
0004867107.tif 000014
【図１４】
0004867107.tif 000015
【図１５】
0004867107.tif 000016
【図１６】
0004867107.tif 000017
【図１７】
0004867107.tif 000018
【図１８】
0004867107.tif 000019
【図１９】
0004867107.tif 000020
【図２０】
0004867107.tif 000021
【図２１】
0004867107.tif 000022
【図２２】
0004867107.tif 000023
【図２３】
0004867107.tif 000024
【図２４】
0004867107.tif 000025
【図２５】
0004867107.tif 000026